(57)【特許請求の範囲】
【請求項１】
受信機と、該受信機との間で既知の第１の信号が一定のサブキャリア間隔で配置された、所定帯域幅のキャリアを用いてＯＦＤＭ方式による無線通信を行う送信機において、
受信機と前記キャリアを複数用いて通信する場合に、該複数のキャリアに亘って所定のサブキャリア間隔で前記第１の信号を配置したＯＦＤＭ信号を生成する信号生成部と、
前記ＯＦＤＭ信号を受信機へ送信する送信部と、
を備えた、送信機。
【請求項２】
前記信号生成部は、前記複数のキャリアにおける各々のキャリア、及び隣接するキャリア間の帯域で、前記所定のサブキャリア間隔で前記第１の信号を配置したＯＦＤＭ信号を生成する、
請求項１に記載された送信機。
【請求項３】
前記信号生成部は、前記複数のキャリアにおける各々のキャリア、及び隣接するキャリア間の帯域に設けられる複数のサブキャリアのうち該隣接するキャリアの各々に近接したサブキャリアで、前記所定のサブキャリア間隔で前記第１の信号を配置したＯＦＤＭ信号を生成する、
請求項１に記載された送信機。
【請求項４】
送信機と、該送信機との間で既知の第１の信号が一定のサブキャリア間隔で配置された、所定帯域幅のキャリアを用いてＯＦＤＭ方式による無線通信を行う受信機において、
送信機からＯＦＤＭ信号を受信する受信部と、
送信機と前記キャリアを複数用いて通信する場合に、前記ＯＦＤＭ信号の中から、該複数のキャリアに亘って所定のサブキャリア間隔で配置されている前記第１の信号を抽出する信号抽出部と、
を備えた、受信機。
【請求項５】
前記受信部は、前記複数のキャリアにおける各々のキャリア、及び隣接するキャリア間の帯域で、前記所定のサブキャリア間隔で前記第１の信号を配置したＯＦＤＭ信号を受信する、
請求項４に記載された受信機。
【請求項６】
前記受信部は、前記複数のキャリアにおける各々のキャリア、及び隣接するキャリア間の帯域に設けられる複数のサブキャリアのうち該隣接するキャリアの各々に近接したサブキャリアで、前記所定のサブキャリア間隔で前記第１の信号を配置したＯＦＤＭ信号を受信する、
請求項４に記載された受信機。
【請求項７】
送受信機間で既知の第１の信号が一定のサブキャリア間隔で配置された、所定帯域幅のキャリアを用いてＯＦＤＭ方式による無線通信を行う通信システムにおいて、
送信機は、
受信機と前記キャリアを複数用いて通信する場合に、該複数のキャリアに亘って所定のサブキャリア間隔で前記第１の信号を配置したＯＦＤＭ信号を生成する信号生成部と、
前記ＯＦＤＭ信号を受信機へ送信する送信部と、を備え、
受信機は、
送信機からＯＦＤＭ信号を受信する受信部と、
前記受信部で受信したＯＦＤＭ信号の中から前記第１の信号を抽出する信号抽出部と、
を備えた、
通信システム。
【請求項８】
前記送信機の前記信号生成部は、前記複数のキャリアにおける各々のキャリア、及び隣接するキャリア間の帯域で、前記所定のサブキャリア間隔で前記第１の信号を配置したＯＦＤＭ信号を生成する、
請求項７に記載された通信システム。
【請求項９】
前記送信機の前記信号生成部は、前記複数のキャリアにおける各々のキャリア、及び隣接するキャリア間の帯域に設けられる複数のサブキャリアのうち該隣接するキャリアの各々に近接したサブキャリアで、前記所定のサブキャリア間隔で前記第１の信号を配置したＯＦＤＭ信号を生成する、
請求項７に記載された通信システム。
【請求項１０】
送受信機間で既知の第１の信号が一定のサブキャリア間隔で配置された、所定帯域幅のキャリアを用いてＯＦＤＭ方式による無線通信を行う通信システムにおける通信方法において、
送信機は、受信機と前記キャリアを複数用いて通信する場合に、該複数のキャリアに亘って所定のサブキャリア間隔で前記第１の信号を配置したＯＦＤＭ信号を受信機へ送信し、
受信機は、送信機から受信したＯＦＤＭ信号の中から前記第１の信号を抽出する、
ことを備えた、通信方法。
【請求項１１】
受信機と、該受信機との間で既知の第１の信号が一定のサブキャリア間隔で配置された、所定帯域幅のコンポーネントキャリアを用いてＯＦＤＭ方式による無線通信を行う送信機において、
受信機と前記コンポーネントキャリアを複数用いて通信する場合に、該複数のコンポーネントキャリアに亘って所定のサブキャリア間隔で前記第１の信号を配置したＯＦＤＭ信号を生成する信号生成部と、
前記ＯＦＤＭ信号を受信機へ送信する送信部と、
を備えた、送信機。
【発明の詳細な説明】
【技術分野】
【０００１】
本発明は、送信機と受信機の間でOFDM(Orthogonal Frequency Division Multiplexing)による無線通信を行うに当たって、OFDM信号の中に参照信号等の既知の信号を配置する技術に関する。
【背景技術】
【０００２】
セルラ型の無線通信システムにおいて、UMTS（Universal Mobile Telecommunication System）からLTE（Long Term Evolution）への進展が図られている。LTEでは下りの無線アクセス技術として、高い周波数利用効率が実現できるOFDM(Orthogonal Frequency Division Multiplexing)が採用されている。【０００３】
また、LTEについての仕様を策定している3GPP(3rd Generation Partnership Project)では、次世代通信システムとして更なる高速通信を実現すべく，LTE-A(LTE Advanced)に関する標準化が検討されている。その検討の中で、キャリア・アグリゲーション(Carrier Aggregation)の議論が行なわれている。キャリア・アグリゲーションでは、既存のLTEのキャリア(以下、便宜的に「コンポーネントキャリア」という。)を複数個連結して受信する。図１に、現在検討されているキャリア・アグリゲーションの例を示す。
図１の（ａ）は、連続した20MHz帯域の既存のLTEキャリア(コンポーネントキャリア)を5個用いた場合のキャリア・アグリゲーションの例である。各20MHz帯域のコンポーネントキャリアは、LTEとの互換性を持っているため、各コンポーネントキャリアで従来のLTEユーザ(LTE UE)と通信できる。LTE-Aユーザ(LTE-A UE)は、任意の1〜5個のCCを用いて、最大100MHz帯域で通信することが可能である。図１の（ｂ）のキャリア・アグリゲーションの例に示すように、周波数帯が離れた複数個のコンポーネントキャリアを連結する場合についても検討されている。【０００４】
無線通信システムでは一般に、タイミング同期や伝播路状態の推定を目的として、送信機と受信機の間で既知の信号であるパイロット信号が挿入される。LTEでは，このパイロット信号は、参照信号(Reference Signal；以下ではRSと略記する。)と呼ばれる。RSの無線リソース上の配置について図２に示す。図２には、横方向はサブキャリア(周波数)、縦方向はOFDMシンボル(時間)とした２次元の無線リソース上に点在して配置されるRSを示している。LTEでは、RSの配置は、例えば送信機としての無線基地局に割り当てられたセルIDによって定まる。例えば、図２の（ａ）は無線基地局のセルIDを6で割った余りが0 (Cell-ID%6=0)である場合のRSの配置を示し、図２の（ｂ）は無線基地局のセルIDを6で割った余りが2 (Cell-ID%6=2)である場合のRSの配置を示している。また、LTEにおけるRSは、6サブキャリア間隔でマッピングされる。図２に示すように、無線基地局のセルIDを6で割った余りに応じて、RSの無線リソースへのマッピングを開始するに当たっての帯域端（図１の無線リソースの左端）からのオフセット量が異なる。上述したLTEにおけるRSの配置については、3GPPの技術仕様書3GPP TS 36.211に開示されている。【０００５】
LTEにおいて受信機としての移動局では、既知の信号であるRSを用いて伝播路推定を行なう。伝播路推定方法としては様々な方法が知られている。一例として、よく知られている時間領域における伝播路推定方法を説明すると以下のとおりである。
先ず、移動局は、受信したOFDM信号の中のRSに対してパタンキャンセル処理を行うことで、例えば矩形波などの所定の形態の波形の信号に変換する。次に、パタンキャンセル処理後の信号の中の所定数（Nc個とする。）のサブキャリアの信号に対して所定数（Nfft個とする。）のサンプルの長さのIFFT処理が行なわれた後、雑音成分を除去する処理が行われる。最後に、FFT処理が施されて周波数領域の信号に変換される。【０００６】
例えば、オフセット量が0の場合（図２（ａ）の場合）、図３に示すように、LTEでは6サブキャリア間隔にRSが配置されており、移動局では受信したOFDM信号からRSのみが抽出される。図３に示すように、１番目のOFDMシンボルについて帯域端からリソースエレメント単位、すなわちサブキャリア単位で番号を付すと、1200個のサブキャリアのうちサブキャリア番号0, 6, …, 1194のサブキャリアにマッピングされた200個（上記Nc個）のRSに対してパタンキャンセル処理がなされ、Nfft=256のサイズでIFFT処理が行なわれることになる。パタンキャンセル処理後の信号を矩形波とするとIFFT出力はsinc関数となる。IFFT出力の時間領域の伝播路波形は、所定の閾値以下の部分が0にされることで雑音成分が除去された後、FFT処理が施されて周波数領域へ変換される。その結果、各サブキャリアにおける伝播路推定値が得られる。【０００７】
LTE-Aでは、前述したように、キャリア・アグリゲーションが適用されるが20MHzのコンポーネントキャリアを連結した場合、コンポーネントキャリア間にガードバンドとして19サブキャリアのNull(信号を送信しないサブキャリア)を挿入することが提案されている。例えば図４に示すように、基地局eNBから移動局UE宛の下りOFDM信号には、それぞれ20MHz帯域幅の２個のコンポーネントキャリアが連結され、その間に19サブキャリアのNullが挿入される。移動局UEでは、40MHz帯域幅の信号を受信し、40MHz帯域幅分の信号を一括にてベースバンドレベルで信号処理する。
【先行技術文献】
【非特許文献】
【０００８】
【非特許文献１】3GPP TS 36.211 V9.0.0 (2009-12), 3rd Generation Partnership Project;Technical Specification Group Radio Access Network; Evolved UniversalTerrestrial Radio Access (E-UTRA); Physical Channels and Modulation (Release 9)
【非特許文献２】Contiguous Carrier Aggregation - OverallProposal
【発明の概要】
【発明が解決しようとする課題】
【０００９】
ところで、コンポーネントキャリア間にサブキャリアを配置する場合には、連続するコンポーネントキャリア間でRSが配置されるサブキャリア間隔（LTEでは6サブキャリア間隔）がずれてしまい、伝播路推定精度が劣化するという問題が生じうる。この問題について、以下説明する。【００１０】
例えば図４に示した、連続する２個のコンポーネントキャリアによるキャリア・アグリゲーションの例では、２個のコンポーネントキャリアは同一の送信機（基地局eNB）から送信されている信号であるため、受信機としての移動局UEでは、40MHz帯域幅一括で伝播路推定を行なうことが可能である。ここで、移動局UEにおけるFFT後のサブキャリア信号は、図５に示したものとなる。図５では、図３と同様に、１番目のOFDMシンボルについて帯域端からリソースエレメント単位、すなわちサブキャリア単位でサブキャリア番号を付している。このとき、各コンポーネントキャリア内におけるRSのサブキャリア間隔は6サブキャリア間隔で一定であるが、コンポーネントキャリア間におけるサブキャリア間隔は25サブキャリアとなる。すなわち、１番目のコンポーネントキャリアの1194番目のサブキャリアと、２番目のコンポーネントキャリアの0番目のサブキャリアとの間は、19サブキャリアのNullが挿入されているために、25サブキャリアのサブキャリア間隔となる。つまり、コンポーネントキャリア間におけるサブキャリア間隔は6サブキャリアの倍数とならない。このように、RSのサブキャリア間隔が等間隔とならない状況では、伝播路における振幅量と位相量がRS毎にずれてしまい、移動局UEで算出される伝播路推定値の精度が劣化するという課題が生じる。【００１１】
よって、発明の１つの側面では、所定帯域幅のキャリアを複数用いてOFDMによる無線通信を行う場合に、伝播路推定精度の劣化を抑制することができる送信機、受信機、通信システム、通信方法を提供することを目的とする。
【課題を解決するための手段】
【００１２】
第１の観点では、受信機と、該受信機との間で既知の第１の信号が一定のサブキャリア間隔で配置された、所定帯域幅のキャリアを用いてＯＦＤＭ方式による無線通信を行う送信機が提供される。
この送信機は、
（Ａ）受信機と上記キャリアを複数用いて通信する場合に、該複数のキャリアに亘って所定のサブキャリア間隔で上記第１の信号を配置したＯＦＤＭ信号を生成する信号生成部；
（Ｂ）上記ＯＦＤＭ信号を受信機へ送信する送信部；
を備える。【００１３】
第２の観点では、送信機と、該送信機との間で既知の第１の信号が一定のサブキャリア間隔で配置された、所定帯域幅のキャリアを用いてＯＦＤＭ方式による無線通信を行う受信機が提供される。
この受信機は、
（Ｃ）送信機からＯＦＤＭ信号を受信する受信部；
（Ｄ）送信機と上記キャリアを複数用いて通信する場合に、上記ＯＦＤＭ信号の中から、該複数のキャリアに亘って所定のサブキャリア間隔で配置されている上記第１の信号を抽出する信号抽出部；
を備える。【００１４】
第３の観点では、送受信機間で既知の第１の信号が一定のサブキャリア間隔で配置された、所定帯域幅のキャリアを用いてＯＦＤＭ方式による無線通信を行う通信システムが提供される。【００１５】
第４の観点では、送受信機間で既知の第１の信号が一定のサブキャリア間隔で配置された、所定帯域幅のキャリアを用いてＯＦＤＭ方式による無線通信を行う通信システムにおける通信方法が提供される。
【発明の効果】
【００１６】
開示の送信機、受信機、通信システム、通信方法によれば、所定帯域幅のキャリアを複数用いてＯＦＤＭによる無線通信を行う場合に、伝播路推定精度の劣化を抑制することができる。
【図面の簡単な説明】
【００１７】
【図１】従来の通信システムにおいて、20MHz帯域の既存のLTEキャリア(コンポーネントキャリア)を5個用いた場合のキャリア・アグリゲーションの例を示す図。
【図２】従来の通信システムにおける、参照信号(RS)の無線リソース上の配置について示す図。
【図３】従来の通信システムにおいて、6サブキャリア間隔に無線リソース上に配置されたRSが抽出されることを説明するための図。
【図４】従来の通信システムの下り信号に対して、連続する２個のコンポーネントキャリアによるキャリア・アグリゲーションが適用される例を示す図。
【図５】従来の通信システムにおける無線リソース上のRSの配置に関し、その課題を説明するための図。
【図６】第１の実施形態の基地局eNBの概略構成を示すブロック図。
【図７】第１の実施形態の移動局UEの概略構成を示すブロック図。
【図８】第１の実施形態の移動局UEの伝播路推定部における詳細ブロック図。
【図９】第１の実施形態において、複数のコンポーネントキャリアに亘ってRSが所定のサブキャリア間隔で配置されている配置例を示す図。
【図１０】第２の実施形態において２個のコンポーネントキャリアが連結された状態の無線リソースを示す図。
【図１１】第２の実施形態においてN個のコンポーネントキャリアが連結された状態の無線リソースを示す図。
【図１２】等サブキャリア間隔でRSを配置した後、キャリアの帯域の中心となるサブキャリア位置にDCサブキャリア(Null)が挿入された状態の無線リソースを示す図。
【図１３】第２の実施形態において、等サブキャリア間隔でRSを配置した後、キャリアの帯域の中心となるサブキャリア位置にDCサブキャリア(Null)が挿入された状態の無線リソースを示す図。
【図１４】第３の実施形態において２個のコンポーネントキャリアが連結された状態の無線リソースの状態を示す図。
【図１５】第３の実施形態において、ガードバンドに割り当てられるサブキャリア数が、RSが配置されるサブキャリア間隔より小さい場合の無線リソースの状態を示す図。
【図１６】第３の実施形態において、コンポーネントキャリア間に、Nullのサブキャリア群としてガードバンドが挿入される場合のCC結合部の出力を示す図。
【図１７】第４の実施形態において２個のコンポーネントキャリアが連結された状態の無線リソースの状態を示す図。
【図１８】第４の実施形態の基地局eNBの概略構成を示すブロック図。
【図１９】第５の実施形態において２個のコンポーネントキャリアが連結された状態の無線リソースの状態を示す図。
【図２０】第６の実施形態において、結合されたコンポーネントキャリアの全域に亘ってRSが等サブキャリア間隔で配置されている場合に算出される推定RSの例を示す図。
【図２１】第６の実施形態において、結合されたコンポーネントキャリアの全域に亘ってRSが等サブキャリア間隔で配置されていない場合に算出される推定RSの例を示す図。
【図２２】実施形態の効果を示すために、受信SNRとnormalized MSE の関係のシミュレーション結果を表す図。
【発明を実施するための形態】
【００１８】
（１）第１の実施形態
以下、第１の実施形態について説明する。
【００１９】
（１−１）通信システム
本実施形態の通信システムでは、送信機としての無線基地局eNB（以下、単に「基地局eNB」という。）と、受信機としての移動局UEとの間で、下りのOFDM信号による送受信が行われる。このOFDM信号の送信に使用される所定帯域幅(LTEでは20MHz)のキャリア（以下、コンポーネントキャリアという。）には、基地局eNBと移動局UEの間で既知の参照信号（以下、RS: Reference Signal；第１の信号）が一定のサブキャリア間隔で配置されている。さらに、本実施形態の通信システムでは、キャリア・アグリゲーションにより複数のコンポーネントキャリアを用いて通信する場合には、下りのOFDM信号には、複数のコンポーネントキャリアに亘ってRSが所定のサブキャリア間隔で配置されている。以下の説明では、コンポーネントキャリアを適宜「CC」と略記する。
【００２０】
（１−２）基地局eNBおよび移動局UEの構成
次に、送信機としての基地局eNB、及び受信機としての移動局UEの構成について、図６〜８を参照して説明する。図６は、基地局eNBの概略構成を示すブロック図である。図７は、移動局UEの概略構成を示すブロック図である。図８は、移動局UEの伝播路推定部における詳細ブロック図である。
【００２１】
先ず図６を参照すると、基地局eNBは、N個のコンポーネントキャリアに対応したN個の信号生成部１０＿０〜１０＿（Ｎ−１）、スケジューラ１１、CC結合部１２、IFFT部１３、及びRF部１４を備える。
【００２２】
信号生成部１０＿０〜１０＿（Ｎ−１）の各々は、コンポーネントキャリアCC#0〜CC#(N-1)の各々に対応している。各信号生成部は、既知信号生成部１０１、データ信号生成部１０２、及びサブキャリア割り当て部１０３を含む。既知信号生成部１０１は、RSなどの既知信号のビット列に対してQPSKなどの変調方式により変調された複素信号を生成する。データ信号生成部１０２は、データ信号のビット列に対して、誤り訂正のためのターボ符号などの符号化を施した後にQPSKなどの変調方式により変調された複素信号を生成する。
【００２３】
サブキャリア割り当て部１０３は、スケジューラ１１から与えられるサブキャリア割り当て情報に従って、既知信号生成部１０１により生成される既知信号（複素信号）と、データ信号生成部１０２により生成されるデータ信号（複素信号）とを、移動局UE宛に割り当てたリソースブロック単位の無線リソースに割り当てる。すなわち、サブキャリアマッピングが行われる。ここで、スケジューラ１１は、複数のコンポーネントキャリアを用いて通信する場合には、複数のコンポーネントキャリアに亘って既知信号としてのRSが所定のサブキャリア間隔で配置されるように、サブキャリア割り当て情報を生成する。
【００２４】
サブキャリア割り当て情報は、コンポーネントキャリアごとに、RSが割り当てられるべきリソースエレメントを指定するための情報である。例えば、サブキャリア割り当て情報は、OFDMシンボルごとのサブキャリア番号である。サブキャリア割り当て情報は、各コンポーネントキャリアにおいてRSが配置されるサブキャリア間隔は一定であるという前提の下では、RSの無線リソースへのマッピングを開始するに当たっての帯域端（図１の無線リソースの左端）からのオフセット量の情報でもよい。
【００２５】
CC結合部１２は、N個のコンポーネントキャリアを結合する。すなわち、CC結合部１２は、NSC_iをi番目のコンポーネントキャリアの有効サブキャリア数であるとすると、
0005445677.tif 000002
個のサブキャリアを結合する。このとき、結合されたコンポーネントキャリアの全領域に亘ってRSは等サブキャリア間隔で配置される。
【００２６】
IFFT部１３は、CC結合部１２により結合された周波数領域の信号に対してIFFT (Inverse Fast Fourier Transform)を施して時間領域の信号に変換するとともに、時間領域信号に対してGI(Guard Interval)を付加する。
RF部１４は、D/A(Digital to Analog)変換器、ローカル周波数発信器、ミキサ、パワーアンプ、フィルタ等を備える。RF部１４は、IFFT部１３により生成された時間領域のベースバンドのOFDM信号を、ベースバンド周波数から無線周波数へアップコンバート等した後に、送信アンテナから空間へ放射する。
【００２７】
次に図７を参照すると、移動局UEは、RF部２０、FFT部２１、伝播路推定部２２、復調部２３、及び復号部２４を備える。
【００２８】
RF部２０は、受信アンテナで受信した基地局eNBからの下りのRF信号をデジタルベースバンド信号（OFDM信号）に変換する。RF部２０は、帯域制限フィルタ、ローノイズアンプ（LNA: Low Noise Amplifier）、ローカル周波数発信器、直交復調器、AGC(Automatic Gain Control)アンプ、A/D(Analog to Digital)変換器などを含む。
FFT部２１は、受信したOFDM信号からGI(Guard Interval)を除去した後、所定のFFT(Fast Fourier Transform)ウィンドウが設定された上で受信したOFDM信号に対してFFT処理を施し、時間領域の信号から周波数領域の信号へ変換する。
【００２９】
伝播路推定部２２は、FFT部２１により得られた周波数領域の信号、すなわちサブキャリアごとの信号に配置されているRSに基づいて、基地局eNBから自局までの下りの伝播路推定を行う。
図８には、伝播路推定部２２の一構成例を示す。図８に示す例では、伝播路推定部２２は、パタンキャンセラ２２１、IFFT部２２２、雑音抑圧部２２３、及びFFT部２２４を備える。
パタンキャンセラ２２１は、受信したRSに対してパタンキャンセル処理を行うことで、例えば矩形波などの所定の形態の波形の信号に変換する。次に、IFFT部２２２は、パタンキャンセル処理後の信号の中のNc個のサブキャリアの信号に対してNfftの長さのIFFT処理を行なう。雑音抑圧部２２３は、IFFT処理後の時間領域の信号は、所定の閾値以下の部分が0にされることで雑音成分を除去する。FFT部２２４は、雑音成分が除去された信号に対してFFT処理を施し、周波数領域の信号へ変換する。その結果、各サブキャリアにおける伝播路推定値が得られる。図８では一例として、パタンキャンセラ２２１により矩形波の信号が生成され、IFFT部２２２によりsinc関数の信号が生成される例が示されている。
【００３０】
図７に戻り、復調部２３は、伝播路推定部２２から与えられる伝播路推定値を用いて各リソースエレメントに割り当てられた信号を復調し、復号部２４は、復調された信号を復号して受信ビット列を得る。
【００３１】
（１−３）RS（参照信号）の配置例
次に、複数のコンポーネントキャリアに亘ってRSが所定のサブキャリア間隔で配置されている配置例について、図９を参照して説明する。図９では一例として、それぞれ20MHzの２個のコンポーネントキャリアCC#0, CC#1を連結し、そのコンポーネントキャリア間に19サブキャリアのNull(信号を送信しないサブキャリア)を挿入する場合が示される。各コンポーネントキャリアでは、LTEに規定されるように、RSが配置されるサブキャリア間隔が6サブキャリアである。
【００３２】
図９では、各コンポーネントキャリアの無線リソース中、１番目のOFDMシンボルについて帯域端からリソースエレメント単位、すなわちサブキャリア単位でサブキャリア番号を付している。この場合、基地局eNBのスケジューラ１１は、例えば、コンポーネントキャリアCC#0の帯域端からのオフセット量を0、コンポーネントキャリアCC#1の帯域端からのオフセット量を5、と指定するサブキャリア割り当て情報を生成する。これにより、コンポーネントキャリアCC#0では基地局のセルIDを6で割った余りが0 (Cell-ID%6=0)である場合のRSの配置となり、コンポーネントキャリアCC#1では基地局のセルIDを6で割った余りが5(Cell-ID%6=5)である場合のRSの配置となる。その結果、コンポーネントキャリアCC#0の1194番目のサブキャリアと、２番目のコンポーネントキャリアCC#0の5番目のサブキャリアとの間は、19サブキャリアのNullが挿入されているため、30サブキャリアのサブキャリア間隔となる。つまり、コンポーネントキャリア間におけるサブキャリア間隔が6サブキャリアの倍数となるため、結合された２個のコンポーネントキャリアCC#0, CC#1の全域に亘ってRSが等サブキャリア間隔で配置されることになる。
【００３３】
以上説明したように、本実施形態の通信システムでは、送信機としての基地局eNBと受信機としての移動局UEとの間でOFDMによる無線通信が行われ、所定帯域幅のコンポーネントキャリア(LTEでは20MHz帯域幅)を用いた無線リソースには既知のRS（第１の信号）が一定のサブキャリア間隔（LTEでは6サブキャリア）で配置される。そして、コンポーネントキャリアを複数用いて通信する場合、基地局eNBは、複数のコンポーネントキャリアに亘って所定のサブキャリア間隔（本実施形態の例では6サブキャリア）で無線リソース上にRSを配置する。そのため、受信機としての移動局UEは、複数のコンポーネントキャリアに亘って等サブキャリア間隔で配置されたRSを抽出して伝播路推定を行うことができ、伝播路推定値の精度が劣化しない。すなわち、移動局UEにおける伝播路推定精度の劣化を抑制することができる。
【００３４】
（２）第２の実施形態
以下、第２の実施形態について説明する。
本実施形態では、送信機としての基地局eNBと受信機としての移動局UEとの間でコンポーネントキャリアを複数結合して通信を行うときに、通信に利用される無線リソース上で複数のコンポーネントキャリアに亘って等サブキャリア間隔でRSを配置する方法について、具体的に説明する。ここでは、各コンポーネントキャリア内でRSが配置されるサブキャリア間隔は一定であるものとし、各コンポーネントキャリアでRSの無線リソースへのマッピングを開始するに当たっての帯域端からのサブキャリアのオフセット量（以下、単に「オフセット量」という。）を算出する方法について説明する。この各コンポーネントキャリアのオフセットを算出する処理は、基地局eNBのスケジューラ１１（図６参照）にて行われる。また、以下の説明では、１番目のOFDMシンボルにおけるRSのオフセット量のみについて説明するが、図２に示したように、セルIDに応じて規則的に配置される前提の下では、２番目以降のOFDMシンボルのRSのオフセット量は１番目のOFDMシンボルのそれに基づいて自ずと定まることは明らかである。
【００３５】
本実施形態では、コンポーネントキャリア間にNullのサブキャリアが挿入されていないものとする。
【００３６】
図１０は、本実施形態において２個のコンポーネントキャリアCC #0, CC#1が連結された状態の無線リソースの状態を示す図である。図１０に示すように、すべてのコンポーネントキャリアに亘って配置されるRSのサブキャリア間隔をdサブキャリアとする。各コンポーネントキャリアの有効サブキャリア数は通信システムによって予め既定であり、ここでは２個のコンポーネントキャリアCC#0, CC#1の有効サブキャリア数をそれぞれNsc_0，Nsc_1とする。コンポーネントキャリアCC #0, CC#1のRSを配置するオフセット量をΔ0、Δ1とする。ここでは、等間隔dでRSを配置するために、例えば１番目のコンポーネントキャリアCC#0のRSを配置するオフセット量Δ0が初期値として先ず決定される。このとき、コンポーネントキャリアCC #0に配置されるRSの個数は、以下の式(1)となる。なお、式(1)において、
0005445677.tif 000003
は、小数点以下を切り上げることを意味する．
【００３７】
【数１】
0005445677.tif 000004
【００３８】
式(1)から、コンポーネントキャリアCC #1のオフセット量Δ1は、式(2)によって算出することができる。
【００３９】
【数２】
0005445677.tif 000005
【００４０】
上記式(1), (2)は、２個のコンポーネントキャリアCC #0, CC#1が連結された場合であるが、３個以上のコンポーネントキャリアが連結された場合も同様である。図１１は、本実施形態においてN個のコンポーネントキャリアCC#0〜CC#(N-1)が連結された状態の無線リソースの状態を示す図である。図１１に示すように、コンポーネントキャリアCC#0〜CC#(N-1)の有効サブキャリア数をそれぞれ、Nsc_0〜Nsc_(N-1)とする。従って、すべてのコンポーネントキャリアの有効サブキャリア数の総数は
0005445677.tif 000006
である。このとき、１番目のコンポーネントキャリアCC #0のオフセット量Δ0が初期値として与えられていることを前提として、すべてのコンポーネントキャリアにおいてRSが等間隔dで配置するための、各コンポーネントキャリアCC #j (j = 1, 2, …)のオフセット量Δjは、以下の式(3)に示すとおりとなる。
【００４１】
【数３】
0005445677.tif 000007
【００４２】
さらに、各コンポーネントキャリアCC #i (i = 0, 1, 2, …)におけるRSがマッピングされるサブキャリア番号ni (ni = 0, 1, 2, …, Nsc_i -1)は、上記式(3)に示すようにして与えられるオフセット量Δiを用いて、下記式(4)及び(5)によって得られる。サブキャリア番号ni は、前述したサブキャリア割り当て情報となりうる。
【００４３】
【数４】
0005445677.tif 000008
【数５】
0005445677.tif 000009
【００４４】
なお、上記式(1)では、１番目のコンポーネントキャリアCC #0のオフセット量Δ0が初期値として与えられていることを前提としたが、逆に２番目のコンポーネントキャリアCC #1のオフセット量Δ1が初期値として与えられていてもよい。その場合には、下記式(6)に従ってオフセット量Δ0が算出される。
【００４５】
【数６】
0005445677.tif 000010
なお、式(6)において、
0005445677.tif 000011
は小数点以下を切り捨てることを意味する。この場合も、３個以上のコンポーネントキャリアが連結された場合も同様に、各コンポーネントキャリアについて、オフセット量、及びRSが配置されるサブキャリア番号を算出できる。
【００４６】
ところで、OFDMによる通信では，DCオフセットをキャンセルするためにDCとなるサブキャリアをNullサブキャリアとする場合がある。例えば，LTEでは、図１２に示すように、等サブキャリア間隔dでRSを配置した後、キャリアの帯域の中心となるサブキャリア位置に、DCサブキャリア(Null)が挿入される。このとき、DCサブキャリアが挿入されたサブキャリアの前後に配置されたRSの間隔はd+1になり、キャリアの帯域ではRSの配置が等サブキャリア間隔とならないため、伝播路推定精度が劣化しうる。
一方、DCサブキャリア(Null)が挿入されるコンポーネントキャリアを複数用いてキャリア・アグリゲーションを行うに当たって、隣接するコンポーネントキャリア間にDCサブキャリア(Null)を挿入する場合には、図１３に示すようにRSを配置することが好ましい。すなわち、隣接するコンポーネントキャリアCC #0, CC#1間に配置されるDCサブキャリア(Null)を考慮し、隣接するコンポーネントキャリアCC #0, CC#1を挟むRSのサブキャリア間隔がdとなるように、コンポーネントキャリアCC#1のオフセット量を調整する。これにより、隣接するコンポーネントキャリアに亘ってオフセット量が一定となり、個々のコンポーネントキャリアにおける伝播路推定精度の劣化を軽減できる。
【００４７】
（３）第３の実施形態
以下、第３の実施形態について説明する。
本実施形態では、コンポーネントキャリア間に、Nullのサブキャリア群としてガードバンド(Guard band)が挿入される点で第２の実施形態と相違する。本実施形態では、ガードバンドには、RSが配置されない。
【００４８】
図１４は、本実施形態において２個のコンポーネントキャリアCC #0, CC#1が連結された状態の無線リソースの状態を示す図である。図１４は、図１０と比較して、２個のコンポーネントキャリアCC #0, CC#1の間にガードバンドが挿入されている点が異なる。図１４では、第２実施形態と同様に、２個のコンポーネントキャリアCC#0, CC#1の有効サブキャリア数をそれぞれNsc_0，Nsc_1とし、コンポーネントキャリアCC #0, CC#1のRSを配置するオフセット量をΔ0、Δ1とする。また、ガードバンドに割り当てられるサブキャリア数をG0,1とする。このとき、図１４におけるガードバンド左端のサブキャリアを基準にして、仮にガードバンドにRSが配置されたとした場合のガードバンドにおけるRSのオフセット量g0,1は、前述した式(2)と同様にして下記式(7)のとおり表される。
【００４９】
【数７】
0005445677.tif 000012
【００５０】
コンポーネントキャリアCC #1のオフセット量Δ1は、上記式(7)においてΔ0をg0,1で置換し、下記式(8)のとおり算出される。
【００５１】
【数８】
0005445677.tif 000013
【００５２】
上記式(8)は、２個のコンポーネントキャリアCC #0, CC#1が連結された場合であるが、３個以上のコンポーネントキャリアが連結された場合も同様である。この場合、以下の式(9), (10)によってコンポーネントキャリアCC #j (j = 1, 2, 3, …)のオフセット量Δjが算出される。なお、G(j-1),jは、隣接する２個のコンポーネントキャリアCC #(j-1), CC#jの間のガードバンドに割り当てられるサブキャリア数である。g(j-1),jは、隣接する２個のコンポーネントキャリアCC #(j-1), CC#jの間のガードバンドに、仮にRSが配置されたとした場合のそのRSのガードバンドにおけるオフセット量である。
【００５３】
【数９】
0005445677.tif 000014
【数１０】
0005445677.tif 000015
【００５４】
さらに、各コンポーネントキャリアCC #i (i = 0, 1, 2, …)におけるRSがマッピングされるサブキャリア番号ni (ni = 0, 1, 2, …, Nsc_i -1)は、上記式(9)に示すようにして与えられるオフセット量Δiを用いて、下記式(10)及び(11)によって得られる。サブキャリア番号ni は、前述したサブキャリア割り当て情報となりうる。
【００５５】
【数１１】
0005445677.tif 000016
【数１２】
0005445677.tif 000017
【００５６】
なお、図１５に示すように、ガードバンドに割り当てられるサブキャリア数G0,1が、RSが配置されるサブキャリア間隔dより小さい場合が想定される。このような場合には、上記式(7)によってg0,1を算出するとともに、G0,1 - g0,1を算出する。G0,1 - g0,1が正値であれば，式(7)によってΔ1を算出する。G0,1 -
g0,1が負値の場合は，式(7)の
0005445677.tif 000018
の項を0として、下記式(13)によってΔ1を算出する。
【００５７】
【数１３】
0005445677.tif 000019
【００５８】
本実施形態で説明したように、コンポーネントキャリア間に、Nullのサブキャリア群としてガードバンド(Guard band)が挿入される場合には、CC結合部１２（図６参照）の出力は、図１６に示す信号となる。図１６に示すように、結合後の信号のサブキャリア数は式(14)に示す個数となる。そして、RSは，結合されたコンポーネントキャリアの全域に亘り、ガードバンドに割り当てられるサブキャリア数が考慮された上で、等サブキャリア間隔で配置される。
【００５９】
【数１４】
0005445677.tif 000020
【００６０】
（４）第４の実施形態
以下、第４の実施形態について説明する。
本実施形態では、コンポーネントキャリア間に、Nullのサブキャリア群としてガードバンド(Guard band)が挿入される点では第３の実施形態と共通するが、ガードバンドにもRSが配置される点で第３の実施形態と異なる。
【００６１】
図１７は、本実施形態において２個のコンポーネントキャリアCC #0, CC#1が連結された状態の無線リソースの状態を示す図である。図１７は、図１４と比較して、２個のコンポーネントキャリアCC #0, CC#1の間のガードバンドにRSが配置されている点が異なる。本実施形態では、結合される複数のコンポーネントキャリアにおける各々のキャリア、及び隣接するコンポーネントキャリア間のガードバンドでRSが所定のサブキャリア間隔で配置される。これにより、第３の実施形態の場合と比較し、受信機としての移動局UEで伝播路推定を行うときのFFT処理で不連続となる周波数領域がなくなることから、伝播路推定精度をさらに向上させることができる。
【００６２】
上記式(10)によって、隣接する２個のコンポーネントキャリアCC #(j-1), CC#jの間のガードバンドに、RSが配置されたとした場合の、そのRSのガードバンドにおけるオフセット量g(j-1),jが算出できる。よって、コンポーネントキャリアCC
#(j-1), CC#jの間のガードバンドに配置可能なRSの数は、以下の式(15)に示すとおりとなる。但し、Gi,(i+1) - gi,(i+1)が負値であれば、ガードバンドに配置可能なRSの数は0個である。
【００６３】
【数１５】
0005445677.tif 000021
【００６４】
コンポーネントキャリアCC#i, CC #(i+1)の間のガードバンドのGi,(i+1)個のサブキャリアのサブキャリア番号をki,(i+1) (ki,(i+1) = 0, 1, 2, …, Gi,(i+1)
-1)とすると、RSが配置されるサブキャリア番号は、式(10)から与えられるオフセット量gi,(i+1)を用いて以下の式(16)に示すとおりとなる。
【００６５】
【数１６】
0005445677.tif 000022
【００６６】
但し、式(16)において、
【数１７】
0005445677.tif 000023
である。
【００６７】
次に、本実施形態の送信機としての基地局eNBの構成例について、図１８を参照して説明する。図１８は、基地局eNBの概略構成を示すブロック図である。図１８において、図６と同一の構成要素については同一符号を付している。
【００６８】
図１８において、図６に示した構成と相違する点は以下のとおりである。すなわち、図１８に示す基地局eNBは、隣接するコンポーネントキャリア間のガードバンドの信号を生成するための信号生成部２０＿１〜２０＿（Ｎ−１）をさらに備える。信号生成部２０＿１はコンポーネントキャリアCC#0, CC#1の間のガードバンドの信号を生成する。他の信号生成部も同様に、対応するガードバンドの信号を生成する。例えば信号生成部２０＿（Ｎ−１）はコンポーネントキャリアCC#(N-2), CC#(N-1)の間のガードバンドの信号を生成する。
【００６９】
信号生成部２０＿１〜２０＿（Ｎ−１）の各々は、既知信号生成部２０１及びサブキャリア割り当て部２０３を含む。既知信号生成部２０１は、Nullに相当する所定のDCレベルの信号を生成する。サブキャリア割り当て部２０３は、スケジューラ１１から与えられるサブキャリア割り当て情報に従って、既知信号生成部２０１により生成されるDCレベルの信号を、ガードバンドに割り当てる。CC結合部１２は、N個のコンポーネントキャリアとガードバンドを結合した周波数領域の信号を生成する。
【００７０】
（５）第５の実施形態
以下、第５の実施形態について説明する。
本実施形態では、コンポーネントキャリア間に、Nullのサブキャリア群として挿入されるガードバンド(Guard band)にRSが配置される点では第４の実施形態と共通するが、ガードバンドの全域ではなく部分的にRSが配置される点で第４の実施形態と異なる。
【００７１】
図１９は、本実施形態において２個のコンポーネントキャリアCC #0, CC#1が連結された状態の無線リソースの状態を示す図である。図１９では、比較のために、（ａ）第４の実施形態におけるRSの配置と、（ｂ）本実施形態におけるRSの配置とが示されている。図１９に示すように、本実施形態のRSの配置では、ガードバンドに設けられる複数のサブキャリアのうち、隣接するコンポーネントキャリアの各々に近接したサブキャリア（図１９のgb1〜gb3のサブキャリア）にのみRSが配置される。ガードバンドに配置されるRSの数は予め設定しておく。例えば、図１９の場合、ガードバンドにおいて、コンポーネントキャリアCC#0に近接したA個のサブキャリアと、コンポーネントキャリアCC#1に近接したB個のサブキャリアとにRSを配置する場合、AとBを予め設定しておく。このときAとBは異なる値でもよいし、ガードバンドごとに異なっていてもよい。
【００７２】
前述した第３の実施形態では、ガードバンドにRSが配置されないため、ガードバンドとしての機能が十分に働く一方、伝播路推定を行うときのFFT処理で不連続となる周波数領域が生じ、特にコンポーネントキャリアのサブキャリアのうちガードバンドに近いサブキャリアで伝播路推定精度が劣化する。一方、前述した第４の実施形態では、ガードバンドの全域にRSが配置されるため、伝播路推定を行うときのFFT処理で不連続となる周波数領域がなくなることから伝播路推定精度が極めて良好となるが、ガードバンドとしての機能が十分に働かないことが生じうる。これに対して、本実施形態では、コンポーネントキャリアのサブキャリアのうちガードバンドに近いサブキャリアでの伝播路推定精度の劣化を抑制しつつ、ガードバンドとしての機能を一定程度働かせることが可能となる。
【００７３】
（６）第６の実施形態
以下、第６の実施形態について説明する。
上記各実施形態では主として、１番目のOFDMシンボルにおけるRSのオフセット量のみについて説明してきたが、例えば図２に示したように、OFDMシンボルごとのRSのオフセット量は一般的に規則性があるため、すべてのOFDMシンボルにおけるオフセット量の決定方法に拡張できることは明らかである。例えば、図２０に、OFDMシンボルに応じてRSのオフセット量が異なる無線リソースの例を示す。この例では、時刻t0, t1, t2, t3, t4, t5のRSのオフセット量がそれぞれ0, 2, 4, 0, 2, 4であり、OFDMシンボルごとにRSのオフセット量が異なる。しかしながら、OFDMシンボルとRSのオフセット量との間に規則性があるため、上記各実施形態で示したようにして１番目のOFDMシンボルにおけるRSのオフセット量が決定されれば、自ずと２番目以降のOFDMシンボルにおけるRSのオフセット量も定まる。
【００７４】
図２０に示したRSの配置例にも示したように、上記各実施形態では、すべてのコンポーネントキャリアに亘ってRSを等サブキャリア間隔で配置するようにした。これに対して、本実施形態では、RSが等サブキャリア間隔で配置されない場合でも、RSの推定信号を算出することで擬似的にRSを等サブキャリア間隔で配置したかのように送受信機間で処理できるようにした、無線リソースにおけるRSの配置方法について説明する。
【００７５】
先ず、図２０を参照してRSの推定信号（以下、「推定RS」という。）の算出方法について説明する。
図２０では、一例として、時刻t2において推定RSが算出される例を示している。図２０に示すようにRSが配置される無線リソースでは、時刻t2のOFDMシンボルにおいてRSが配置されている場合には推定RSを算出しなくてもよい。時刻t2のOFDMシンボルにおいてRSが配置されている場合には、同一のサブキャリアの異なる時刻の２個のRSを補間処理することで推定RSが算出される。図２０では、推定RSを算出するに当たって補間処理の対象となるRSを矢印で示してある。例えば、図２０に示す最初のサブキャリアでは、時刻t0と時刻t3のRSを補間処理して時刻t2の推定RSが算出される。その結果、時刻t2では、予め配置されたRSと推定RSとによって、結合されたコンポーネントキャリアCC#0, CC#1の全域に亘って所定のサブキャリア間隔が2となっている。時刻t2以外の他の時刻についても同様にして、結合されたコンポーネントキャリアCC#0, CC#1の全域に亘って所定のサブキャリア間隔を2とすることができる。
【００７６】
図２１は、図２０と異なり、結合されたコンポーネントキャリアCC#0, CC#1の全域に亘ってRSが等サブキャリア間隔で配置されていない場合の例である。この場合も、図２０を参照して説明した推定RSの算出方法と同様にして、推定RSが算出される。その結果、時刻t2では、予め配置されたRSと推定RSとによって、結合されたコンポーネントキャリアCC#0, CC#1の全域に亘って所定のサブキャリア間隔が2となっている。時刻t2以外の他の時刻についても同様にして、結合されたコンポーネントキャリアCC#0, CC#1の全域に亘って所定のサブキャリア間隔を2とすることができる。
よって、結合されたコンポーネントキャリアCC#0, CC#1の全域に亘ってRSが等サブキャリア間隔で配置されていない場合であっても、近似的にRSを等サブキャリア間隔とすることができ、伝播路推定精度を向上させることができる。
【００７７】
なお、以下の条件(A)〜(C)を満たすようにRSが配置されている場合に、推定RSを算出することが可能となる。
(A) 時刻に応じたRSのオフセット量のパタンがpパタンあること
(B) 各時刻，各コンポーネントキャリアのRSの配置間隔dが全て同じであること
(C) d/pが整数値であり、p個のオフセット量のうち任意の2つのオフセット量の差分がd/pの整数倍であること
【００７８】
また、図２１の場合には、d=6であることを前提として、コンポーネントキャリアCC#0の時刻t0, t1, t2のRSのオフセット量Δ0が0, 2, 4であるため、以下の表１に示すCase1〜6のいずれかのCaseに基づいてコンポーネントキャリアCC#1のオフセット量Δ1を決定することにより推定RSを算出することが可能となる。
【００７９】
【表１】
0005445677.tif 000024
【００８０】
（７）第７の実施形態
以下、第７の実施形態について説明する。
上記第２〜５の実施形態では、例えばコンポーネントキャリアCC#0のRSのオフセット量Δ0に基づいて、結合される他のコンポーネントキャリアCC#jのRSのオフセット量Δj(j=1, 2, 3, …, N-1)を算出するようにした。しかしながら、図２で示したように、LTEではRSの無線リソース上の配置が送信機としての基地局eNBのセルIDによって定まる。すなわち、基地局eNBのセルIDを決定すればRSのオフセット量が一意に定まる。そこで、本実施形態では、結合された複数のコンポーネントキャリアの全域に亘ってRSが等サブキャリア間隔で配置されるように、各コンポーネントキャリアに対応したセルIDの決定方法について説明する。
【００８１】
例えばLTEでは、セルIDの基地局eNBの無線リソースにおけるRSのオフセット量Δiは、以下の式(18)に示すとおりに定められる。なお、LTEでは、ncell-ID,iは0〜503，d=6である。
【００８２】
【数１８】
0005445677.tif 000025
【００８３】
よって、上述した各実施形態に示された方法に従って各コンポーネントキャリアのRSのオフセット量Δi(i = 0, 1, 2, …)を算出すれば、以下の式(19)により各コンポーネントキャリアに割り当てるべきセルIDであるncell-ID,iが算出できる。但し、式(19)におけるaは式(20)に示す値をとる。
【００８４】
【数１９】
0005445677.tif 000026
【数２０】
0005445677.tif 000027
【００８５】
この場合、各コンポーネントキャリアのセルIDは、算出されたΔiと上記の式(20)の任意のaと用いて得られる式(19)の84個(=504/6)のセルIDの中から選択される。本実施形態では、サブキャリア割り当て情報が各コンポーネントキャリアに割り当てられたセルIDによって生成されうる。
【００８６】
以上、本発明の実施形態について詳細に説明したが、発明者は、５個のコンポーネントキャリアによるキャリア・アグリゲーションを行った場合を例として、実施形態の通信システムの効果をシミュレーションで検証した。５個のコンポーネントキャリアの各々は、LTEと同一の無線リソース、すなわち、OFDMシンボルにつき1200サブキャリアが含まれ、6サブキャリア間隔にRSが配置される無線リソースを使用するものとした。コンポーネントキャリア間のDCサブキャリア(Null)の数は19とし、DCサブキャリアにはRSは配置しないようにした。このシミュレーションでは、(a)結合されたコンポーネントキャリアの全域に亘って6サブキャリア間隔にならないようにRSを無線リソース上に配置した場合と、(b) 結合されたコンポーネントキャリアの全域に亘って6サブキャリア間隔となるようにRSを無線リソース上に配置した場合、の２通りについて伝播路推定精度の計算を試みた。 (a)の場合、５個のコンポーネントキャリアのセルIDはそれぞれ(0, 0, 0, 0, 0)、すなわち，各コンポーネントキャリアのRSのオフセット量は0とした。(b)の場合、５個のコンポーネントキャリアのセルIDはそれぞれ(0, 5, 4, 3, 2)、すなわち各コンポーネントキャリアのRSのオフセット量は(0, 5, 4, 3, 2)とした（式(18)参照）。
【００８７】
図２２に、上記シミュレーションの結果を示す。図２２において、横軸は受信SNR、縦軸は、normalized MSE (Mean Square Error)を示す。normalized MSEは、伝播路推定値の推定精度を意味し、値が小さいほど推定精度が良いことを意味する。図２２から、コンポーネントキャリアの全域に亘って等サブキャリア間隔でRSを配置した場合((b))、そうでない場合((a))よりも受信SNRの全域で1〜2dB程度良好となることが分かる。
【００８８】
本発明の送信機、受信機、通信システム、通信方法は上記実施形態に限定されず、本発明の主旨を逸脱しない範囲において、種々の改良や変更をしてもよいのは勿論である。
【符号の説明】
【００８９】
eNB…基地局
１０＿０〜１０＿（Ｎ−１），２０＿０〜２０＿（Ｎ−１）…信号生成部
１１…スケジューラ
１２…CC結合部
１３…IFFT部
１４…RF部
UE…移動局
２０…RF部
２１…FFT部
２２…伝播路推定部
２３…復調部
２４…復号部
【図１】
0005445677.tif 000028
【図２】
0005445677.tif 000029
【図３】
0005445677.tif 000030
【図４】
0005445677.tif 000031
【図５】
0005445677.tif 000032
【図６】
0005445677.tif 000033
【図７】
0005445677.tif 000034
【図８】
0005445677.tif 000035
【図９】
0005445677.tif 000036
【図１０】
0005445677.tif 000037
【図１１】
0005445677.tif 000038
【図１２】
0005445677.tif 000039
【図１３】
0005445677.tif 000040
【図１４】
0005445677.tif 000041
【図１５】
0005445677.tif 000042
【図１６】
0005445677.tif 000043
【図１７】
0005445677.tif 000044
【図１８】
0005445677.tif 000045
【図１９】
0005445677.tif 000046
【図２０】
0005445677.tif 000047
【図２１】
0005445677.tif 000048
【図２２】
0005445677.tif 000049